(57)【特許請求の範囲】
【請求項１】
ステムに嵌合され押圧することで内容物を噴射するアクチュエータを備えたエアゾール容器の噴射装置であって、
前記アクチュエータの噴射ノズル部以外の外側を囲んで当該アクチュエータの上面より高い略筒状のワンタッチキャップをエアゾール容器に取り付け、
前記アクチュエータの側方に突出させて当該アクチュエータを、前記ステムを中心として回動させる操作部を形成し、
前記ワンタッチキャップに前記操作部の回動をガイドするガイド溝を形成し、このガイド溝にアクチュエータを押圧して噴射可能とする噴射位置と、アクチュエータの押圧操作を規制するロック位置と、アクチュエータの押圧状態を保持してガス抜きを行うガス抜き位置とを連通して形成する一方、
前記アクチュエータの前記噴射ノズル部を当該アクチュエータの側方に突出させた噴射ノズル筒で構成し、この噴射ノズル筒をガイドするガイド溝を前記ワンタッチキャップに形成し、このガイド溝にもアクチュエータを押圧して噴射可能とする噴射位置と、アクチュエータの押圧操作を規制するロック位置と、アクチュエータの押圧状態を保持してガス抜きを行うガス抜き位置とを連通して形成したことを特徴とするエアゾール容器の噴射装置。
【請求項２】
前記ガイド溝に形成するロック位置とガス抜き位置を前記噴射位置を挾んで形成したことを特徴とする請求項１記載のエアゾール容器の噴射装置。
【請求項３】
前記ガイド溝に突起を形成するとともに、前記操作部にこの突起を乗り越えて噴射位置とロック位置との間を操作される凸条を形成する一方、前記ワンタッチキャップに突片を形成するとともに、前記アクチュエータにこの突片を乗り越えて噴射位置とロック位置との間を切り替えられる突出片を形成したことを特徴とする請求項１または２記載のエアゾール容器の噴射装置。
【発明の詳細な説明】
【０００１】
【発明の属する技術分野】
この発明はエアゾール容器の噴射装置に関し、未使用時には、アクチュエータをロックでき、使用済みの廃棄時には、連続噴射させてガス抜きを行うことが簡単にできるようにしたものである。
【０００２】
【従来の技術】
従来から化粧品、殺虫剤、塗料などのエアゾール製品では、内容物と噴射剤とがエアゾール容器に充填されており、ステムに取り付けたアクチュエータを操作することで内容物を噴射剤の圧力で噴射させて使用する。
【０００３】
このようなエアゾール製品を輸送したり、保管する場合に誤ってアクチュエータが押圧されるなどで操作されると、内容物が噴射されることから誤操作を防止するため種々の提案が成されており、最も簡単な方法として、アクチュエータの外側を覆うキャップをエアゾール容器のマウンテンカップに取り付けることで、アクチュエータの操作ができないようにすることが行われている。
【０００４】
一方、使用済みのエアゾール容器を廃棄する場合には、エアゾール容器の内部に内容物や噴射剤が残留していると処理の際に危険なことから、使用者側で確実に残留内容物や残留ガスを放出させてもらう必要があり、簡単に放出できるようにエアゾール容器のキャップにガス抜きの機能を持たせたものが種々提案されている。
【０００５】
このガス抜き兼用のキャップでは、例えば通常時にはキャップとして使用していたものを、廃棄時などに逆にして被せることでガス等内容物を連続的に噴射させて放出するようにしている。
【０００６】
このようなエアゾール容器のアクチュエータを覆うキャップを用いる場合には、キャップで覆うことで誤操作を防止でき、キャップを逆に被せることでガス抜きができるものの、通常使用する場合にその都度キャップを外したり、取り付けたりする必要があり、煩雑である。
【０００７】
そこで、キャップを外すことなく、使用したいときにすぐに使用できるキャップとして略筒状のキャップ内にアクチュエータを組み込んだワンタッチキャップが用いられている。
【０００８】
このワンタッチキャップの場合には、アクチュエータの上面よりワンタッチキャップを高くしておくことで、アクチュエータの誤操作をある程度防止できるものの、より完全に誤操作を防止するためロック機構を設けたものが提案されている。
【０００９】
たとえば特開平５−２８５４２８号公報に開示されたノズルヘッドロック機構付き容器では、アクチュエータに乗り上げ部を形成し、ワンタッチキャップに係合部を形成してロック機構とし、ロック状態にする場合には、アクチュエータを回動して係合部に乗り上げ部を乗り上げるようにしてアクチュエータの押圧操作ができないようにしている。
【００１０】
【発明が解決しようとする課題】
ところが、このようなワンタッチキャップでは、アクチュエータを回動してロック状態にすることで誤操作を防止できるものの、ワンタッチキャップが略筒状で天面部がないことからガス抜き機能を持たせることが難しく、使用済みのエアゾール容器を廃棄する場合には、ワンタッチキャップに組み込まれているアクチュエータを押し続ける必要があり、ガス抜きが煩雑となる問題がある。
【００１１】
この発明はかかる従来技術の有する課題を解決するためになされたもので、エアゾール容器の残留内容物および残留ガスを完全に抜くことができるガス抜き状態に簡単にでき、未使用時には、簡単にロック状態にすることができるエアゾール容器の噴射装置を提供しようとするものである。
【００１２】
【課題を解決するための手段】
上記従来技術の有する課題を解決するため、この発明の請求項１記載のエアゾール容器の噴射装置は、ステムに嵌合され押圧することで内容物を噴射するアクチュエータを備えたエアゾール容器の噴射装置であって、前記アクチュエータの噴射ノズル部以外の外側を囲んで当該アクチュエータの上面より高い略筒状のワンタッチキャップをエアゾール容器に取り付け、前記アクチュエータの側方に突出させて当該アクチュエータを、前記ステムを中心として回動させる操作部を形成し、前記ワンタッチキャップに前記操作部の回動をガイドするガイド溝を形成し、このガイド溝にアクチュエータを押圧して噴射可能とする噴射位置と、アクチュエータの押圧操作を規制するロック位置と、アクチュエータの押圧状態を保持してガス抜きを行うガス抜き位置とを連通して形成する一方、前記アクチュエータの前記噴射ノズル部を当該アクチュエータの側方に突出させた噴射ノズル筒で構成し、この噴射ノズル筒をガイドするガイド溝を前記ワンタッチキャップに形成し、このガイド溝にもアクチュエータを押圧して噴射可能とする噴射位置と、アクチュエータの押圧操作を規制するロック位置と、アクチュエータの押圧状態を保持してガス抜きを行うガス抜き位置とを連通して形成したことを特徴とするものである。
【００１３】
このエアゾール容器の噴射装置によれば、アクチュエータの噴射ノズル部以外の外側を囲んでアクチュエータの上面より高い略筒状のワンタッチキャップをエアゾール容器に取り付け、アクチュエータの側方に突出させて当該アクチュエータを回動させる操作部を形成し、前記ワンタッチキャップに前記操作部の回動をガイドするガイド溝を形成し、このガイド溝にアクチュエータを押圧して噴射可能とする噴射位置と、アクチュエータの押圧操作を規制するロック位置と、アクチュエータの押圧状態を保持してガス抜きを行うガス抜き位置とを連通して形成する一方、前記アクチュエータの前記噴射ノズル部を当該アクチュエータの側方に突出させた噴射ノズル筒で構成し、この噴射ノズル筒をガイドするガイド溝を前記ワンタッチキャップに形成し、このガイド溝にもアクチュエータを押圧して噴射可能とする噴射位置と、アクチュエータの押圧操作を規制するロック位置と、アクチュエータの押圧状態を保持してガス抜きを行うガス抜き位置とを連通して形成するようにしており、アクチュエータから突出する操作部をワンタッチキャップのガイド溝で噴射位置、ロック位置、ガス抜き位置のいずれかにガイドすることで、キャップを着脱すること無く、簡単にロック状態にしたり、ガス抜き状態にすることができる。
また、アクチュエータの噴射ノズル部を当該アクチュエータの側方に突出させた噴射ノズル筒で構成し、この噴射ノズル筒をガイドするガイド溝をワンタッチキャップに形成し、このガイド溝にもアクチュエータを押圧して噴射可能とする噴射位置と、アクチュエータの押圧操作を規制するロック位置と、アクチュエータの押圧状態を保持してガス抜きを行うガス抜き位置とを連通して形成するようにしており、アクチュエータから突出する操作部に加え、噴射ノズル部をもアクチュエータから突出させて設け、２つの突出部をワンタッチキャップのガイド溝で噴射位置、ロック位置、ガス抜き位置のいずれかにガイドすることで、キャップを着脱すること無く、簡単にロック状態にしたり、ガス抜き状態にすることができ、しかも確実に各位置に保持することができる。
【００１４】
また、この発明の請求項２記載のエアゾール容器の噴射装置は、請求項１記載の構成に加え、前記ガイド溝に形成するロック位置とガス抜き位置を前記噴射位置を挾んで形成したことを特徴とするものである。
【００１５】
このエアゾール容器の噴射装置によれば、ガイド溝に形成するロック位置とガス抜き位置を前記噴射位置を挾んで形成するようにしており、噴射位置からどちら側かに回動することで簡単にロック状態にしたり、ガス抜き状態にすることができ、容易に操作することができるようになる。
【００１６】
さらに、この発明の請求項３記載のエアゾール容器の噴射装置は、請求項１または２記載の構成に加え、前記ガイド溝に突起を形成するとともに、前記操作部にこの突起を乗り越えて噴射位置とロック位置との間を操作される凸条を形成する一方、前記ワンタッチキャップに突片を形成するとともに、前記アクチュエータにこの突片を乗り越えて噴射位置とロック位置との間を切り替えられる突出片を形成したことを特徴とするものである。
【００１７】
このエアゾール容器の噴射装置によれば、前記ガイド溝に突起を形成するとともに、前記操作部にこの突起を乗り越えて噴射位置とロック位置との間を操作される凸条を形成する一方、前記ワンタッチキャップに突片を形成するとともに、前記アクチュエータにこの突片を乗り越えて噴射位置とロック位置との間を切り替えられる突出片を形成しており、噴射位置からロック位置に切り替えられたことが確実に分かるとともに、ロック位置を保持することもでき、誤操作を一層確実に防止できるようになる。
【００１８】
【発明の実施の形態】
以下、この発明のエアゾール容器の噴射装置の一実施の形態について図面に基づき詳細に説明する。
【００１９】
図１〜図４はこの発明のエアゾール容器の噴射装置の一実施の形態にかかリ、図１はアクチュエータの概略斜視図、ワンタッチキャップの概略斜視図、組立状態の断面図、図２はアクチュエータの正面図、左側面図、右側面図、図３はワンタッチキャップの正面図、左側面図、右側面図、図４は噴射状態で示す平面図、断面図、左側面図、右側面図、底面図である。
【００２０】
このエアゾール容器の噴射装置１０は、エアゾール容器１からキャップを外すこと無くそのままステム２に嵌合連結されたアクチュエータ２０を操作することで噴射させることができるワンタッチキャップ４０を備えて構成されており、アクチュエータ２０を回動操作することで噴射位置、ロック位置、ガス抜き位置にすることができるようにしたものである。
【００２１】
このエアゾール容器の噴射装置１０では、アクチュエータ２０が上面２１が塞がれた円筒状の側壁部２２を備えており、上面２１の中心軸上に下方に突き出して小径円筒状のステム嵌合部２３が一体に形成してある。このアクチュエータ２０のステム嵌合部２３には、下端が開口したステム嵌合穴２４が形成され、このステム嵌合穴２４に連通して小径の噴射通路２５が形成してあり、噴射通路２５とステム嵌合穴２４との段差にステム２の上端面が当るように嵌合される。
【００２２】
このアクチュエータ２０では、側壁部２２の側方に突き出すとともに、側壁部２２を貫通してステム嵌合部２３に連結して中空楕円状の噴射ノズル部２６が一体に形成され、噴射ノズル部２６の流路２７と噴射通路２５とが連通している。また、アクチュエータ２０の噴射ノズル部２６と対角位置の側壁部２２には、側方に突き出して操作部２８が設けられ、長方形断面の操作棒２９の外側端部に上下に突出する係止部３０が形成されるとともに、操作棒２９の底面に沿って凸条３１が一体に形成してある。
【００２３】
さらに、このアクチュエータ２０では、操作部２８が突出する側壁部２２の内側に縦に薄板状の突出片３２が設けてあり、後述するワンタッチキャップ側の対応する突出片とで、操作時に操作が確実に行われたことを知ることができるようにする。
【００２４】
またアクチュエータ２０の上面２１の噴射ノズル部２６と反対の後方が傾斜面３３とされるとともに、上面全体が凹面とされ、指に沿うようにしてあり、傾斜面３３上に滑り止め用の突起３４が形成してある。
【００２５】
このようなアクチュエータ２０が組み込まれるワンタッチキャップ４０は、略円筒状に形成され、外筒４１が外周壁４２と上端部が逆Ｕ字状に連結された内周壁４３とこれらを連結する補強リブとで中空状に形成されるとともに、アクチュエータ２０の噴射ノズル部２６および操作部２８に対応する部分に上端が開口する前後開口部４４，４５が形成してあり、これらの部分以外を囲むようになっている。そして、ワンタッチキャップ４０の外周壁４２の下端周縁部がエアゾール容器１のマウンテンカップ３の外側に係止されて取り付けられるようになっており、確実に取り付けることができるように内周に沿って係止突起４６が形成してある。
【００２６】
また、このワンタッチキャップ４０の外筒４１の高さがアクチュエータ２０を組み込んだときにアクチュエータ２０の上面２１より高くしてあり、直接アクチュエータ２０の上面２１を押さない場合には、アクチュエータ２０が押圧されないようにしてある。
【００２７】
このワンタッチキャップ４０の外筒４１には、その前後開口部４４，４５に連続してアクチュエータ２０の噴射ノズル部２６および操作部２８の操作棒２９をガイドするガイド溝４７，４８が形成してある。このガイド溝４７，４８は、前後開口部４４，４５の中央下部にアクチュエータ２０を噴射位置Ｆまで押し込むことができる前後噴射用溝４９，５０が形成され、この前後噴射用溝４９，５０の一方側の対角位置には、アクチュエータ２０の押圧操作を規制するロック位置Ｌに保持する前後ロック用溝５１，５２が噴射用溝４９，５０より上方に段差を介して形成され、他方側の対角位置には、アクチュエータ２０を押圧状態にして残留ガスを放出するガス抜き位置Ｇに保持する前後ガス抜き用溝５３，５４が噴射用溝４９，５０と同一高さに形成され、これ前後噴射用溝４９，５０、前後ロック用溝５１，５２、前後ガス抜き用溝５３，５４が前後で一連のガイド溝として連通している。
【００２８】
また、これら前後ガイド溝４７，４８のうち後方のガイド溝４８には、ロック用溝５２およびガス抜き用溝５４の入口部上下に突起５５が形成してあり、操作棒２９の凸条３１を乗り越えるように操作することで、アクチュエータ２０が簡単に噴射位置Ｆに戻らないようにしてある。
【００２９】
さらに、このワンタッチキャップ４０では、内容物として化粧品などが入れられたエアゾール容器１に用いると、爪の長い女性が使用する場合も多く、アクチュエータ２０の操作の際に前方の開口部４４の内側に爪が当たることがあることから、前方の開口部４４の内側の内周壁４３が外周壁４２と接するように切欠部５６が形成してあり、アクチュエータ２０の押圧操作に支障のないできるだけ大きな空間を確保するようにしてある。
【００３０】
このワンタッチキャップ４０には、エアゾール容器１のマウンテンカップ３に装着した状態で、マウンテンカップ３の上方に位置する仕切板５７が設けられ、その中心部にステム２が突出する穴が形成されるとともに、上方に突出する円筒部５８が一体に形成してあり、この円筒部５８の内側にアクチュエータ２０のステム嵌合部２３が位置するようになっている。そして、この円筒部５８の外側にアクチュエータ２０に形成した突起３２と接触しながら乗り越えることができる突片５９が形成され、アクチュエータ２０を噴射位置Ｆとロック位置Ｌとの間を回動操作する場合に突起３２と突片５９とが接触しながら乗り越えることで、アクチュエータ２０の位置が切り替えられたことを知ることができるようになっている。
【００３１】
このようなアクチュエータ２０とワンタッチキャップ４０とを備えたエゾール容器の噴射装置１０では、ワンタッチキャップ４０の外壁部４２の下端周縁部をエアゾール容器１のマウンテンカップ３の外側に被せるようにし、係止突起４６で確実に係止する。そして、このワンタッチキャップ４０の内側にアクチュエータ２０を入れ、ステム嵌合部２３を円筒部５８の内側に配置してステム嵌合穴２４にステム２を噴射通路２５の下面に当るまで嵌合する。
【００３２】
この組立時には、ワンタッチキャップ４０の前後開口部４４，４５および前後噴射用溝４９，５０にアクチュエータ２０の噴射ノズル部２６および操作部２８が位置するようにする。
【００３３】
こうしてアクチュエータ２０とワンタッチキャップ４０とを組み立てた状態では、アクチュエータ２０の下端とワンタッチキャップ４０の仕切板５７との間に押圧操作用の空間が形成されるとともに、噴射ノズル部２６および操作部２８がロック用溝５１，５２と同一高さになっている。
【００３４】
このように組み立てられたエゾール容器の噴射装置１０では、内容物を噴射させて使用する場合には、ワンタッチキャップ４０の前後開口部４４，４５の直下に形成した前後噴射用溝４９，５０にアクチュエータ２０の噴射ノズル部２６および操作部２８が位置するようにし、アクチュエータ２０の上面に指をのせて押圧操作することでステム２が押し下げられ、内容物がアクチュエータ２０の噴射通路２５、流路２７を経て噴射ノズル部２６の先端から噴射される。
【００３５】
一方、輸送時や保管時など誤操作による噴射を規制する場合には、アクチュエータ２０をロック位置Ｌにするよう、図５に示すように、操作部２８を操作してアクチュエータ２０をステム２を中心に回動させ、噴射ノズル部２６および操作部２８がそれぞれ前後ロック用溝５１，５２内に位置するようにする。
【００３６】
この前後ロック用溝５１，５２への移動操作にともなって溝の入り口に形成した突起５５を操作棒２９の凸条３１が乗り越えるとともに、アクチュエータ２０の突出片３２とワンタッチキャップ４０の突片５９とが接触した後乗り越えることで、噴射位置Ｆからロック位置Ｌに切り替えられたことが分かる。
【００３７】
このロック位置Ｌでは、アクチュエータ２０の押圧操作が噴射ノズル部２６および操作部２８が前後ガイド溝４７，４８のロック用溝５１，５２内に位置することで規制され、このロック状態を保持することで誤操作を完全に防止することができる。
【００３８】
そして、これまでのワンタッチキャップのように直接アクチュエータが押されるような場合であってもアクチュエータ２０自体の押圧操作が規制された状態にでき、完全に噴射しないロック状態にできる。
【００３９】
こうしてエアゾール容器１の内容物を使用する場合にはアクチュエータ２０を噴射位置Ｆに回動し、使用しない場合にはロック位置Ｌにすることで、噴射とロックを簡単に切り替えることができる。
【００４０】
一方、内容物がなくなりエアゾール容器１を廃棄する場合には、残留ガスを完全に放出するガス抜きを行う必要があり、このガス抜きを行う場合には、図６に示すように、アクチュエータ２０を噴射位置Ｆにして押圧操作しながら操作部２６でアクチュエータ２０を回動して前後ガイド溝４７，４８の前後ガス抜き用溝５３，５４内に噴射ノズル部２６および操作部２８を位置させる。
【００４１】
こうしてアクチュエータ２０の噴射ノズル部２６および操作部２８を前後ガス抜き用溝５３，５４内に位置させることで連続噴射状態に保持され、残留ガスを完全に放出することができる。
【００４２】
このようなエゾール容器の噴射装置１０によれば、ワンタッチキャップ４０によりキャップを外すことなく直ちにアクチュエータ２０を操作できるようにする場合でも、アクチュエータ２０を前後ガイド溝４７，４８のロック用溝５１，５２でロックすることができるとともに、ガス抜き用溝５３，５４でガス抜き状態にすることもでき、簡単にそれぞれの状態にすることができる。
【００４３】
また、アクチュエータ２０をロック位置Ｌやガス抜き位置Ｇとする場合に、前後のガイド溝４７，４８でそれぞれの状態を保持するので、アクチュエータ２０が傾くこともなく、確実にそれぞれの状態にすることができる。
【００４４】
なお、アクチュエータ２０をロック位置Ｌやガス抜き位置Ｇとする場合に、後方のガイド溝４８だけで操作部２８を規制するようにしても良く、あるいは噴射ノズル部２６を操作部と兼用し、この噴射ノズル部２６だけで規制するようにしても良い。
【００４５】
さらに、このエアゾール容器の噴射装置１０によれば、噴射位置Ｆを挾んで一方側にロック位置Ｌを設け、他方側にガス抜き位置Ｇを設けるようにしたので、使用する噴射位置Ｆから簡単にいずれかの位置Ｌ，Ｇに切り替えることができ、容易に操作することができる。
【００４６】
また、ワンタッチキャップ４０の前方の開口部４４の内側に切欠部５６を形成して内側に空間を確保するようにしたので、爪の長い女性などが使用する場合にも支障なく操作することができる。
【００４７】
なお、上記実施の形態では、噴射ノズル部の流路が円形断面とされ、内容物を泡沫状に噴射するアクチュエータの場合で説明したが、これに限らず、霧状に噴射できるように流路や噴口を形成したアクチュエータとしたり、ストレート状に噴射できるように流路や噴口を形成したアクチュエータなど他の噴射形態のアクチュエータにも同様に適用することができる。
【００４８】
【発明の効果】
以上一実施の形態とともに具体的に説明したように、この発明の請求項１記載のエアゾール容器の噴射装置によれば、アクチュエータの噴射ノズル部以外の外側を囲んでアクチュエータの上面より高い略筒状のワンタッチキャップをエアゾール容器に取り付け、アクチュエータの側方に突出させて当該アクチュエータを回動させる操作部を形成し、前記ワンタッチキャップに前記操作部の回動をガイドするガイド溝を形成し、このガイド溝にアクチュエータを押圧して噴射可能とする噴射位置と、アクチュエータの押圧操作を規制するロック位置と、アクチュエータの押圧状態を保持してガス抜きを行うガス抜き位置とを連通して形成する一方、前記アクチュエータの前記噴射ノズル部を当該アクチュエータの側方に突出させた噴射ノズル筒で構成し、この噴射ノズル筒をガイドするガイド溝を前記ワンタッチキャップに形成し、このガイド溝にもアクチュエータを押圧して噴射可能とする噴射位置と、アクチュエータの押圧操作を規制するロック位置と、アクチュエータの押圧状態を保持してガス抜きを行うガス抜き位置とを連通して形成するようにしたので、アクチュエータから突出する操作部をワンタッチキャップのガイド溝で噴射位置、ロック位置、ガス抜き位置のいずれかにガイドすることで、キャップを着脱すること無く、簡単にロック状態にしたり、ガス抜き状態にすることができる。
また、アクチュエータの噴射ノズル部を当該アクチュエータの側方に突出させた噴射ノズル筒で構成し、この噴射ノズル筒をガイドするガイド溝をワンタッチキャップに形成し、このガイド溝にもアクチュエータを押圧して噴射可能とする噴射位置と、アクチュエータの押圧操作を規制するロック位置と、アクチュエータの押圧状態を保持してガス抜きを行うガス抜き位置とを連通して形成するようにしたので、アクチュエータから突出する操作部に加え、噴射ノズル部をもアクチュエータから突出させて設け、２つの突出部をワンタッチキャップのガイド溝で噴射位置、ロック位置、ガス抜き位置のいずれかにガイドすることで、キャップを着脱すること無く、簡単にロック状態にしたり、ガス抜き状態にすることができ、しかも確実に各位置に保持することができる。
【００４９】
また、この発明の請求項２記載のエアゾール容器の噴射装置によれば、ガイド溝に形成するロック位置とガス抜き位置を前記噴射位置を挾んで形成したので、噴射位置からどちら側かに回動することで簡単にロック状態にしたり、ガス抜き状態にすることができ、容易に操作することができる。
【００５０】
さらに、この発明の請求項３記載のエアゾール容器の噴射装置によれば、前記ガイド溝に突起を形成するとともに、前記操作部にこの突起を乗り越えて噴射位置とロック位置との間を操作される凸条を形成する一方、前記ワンタッチキャップに突片を形成するとともに、前記アクチュエータにこの突片を乗り越えて噴射位置とロック位置との間を切り替えられる突出片を形成したので、噴射位置からロック位置に切り替えられたことが確実に分かるとともに、ロック位置を保持することもでき、誤操作を一層確実に防止することができる。
【図面の簡単な説明】
【図１】この発明のエアゾール容器の噴射装置の一実施の形態にかかるアクチュエータの概略斜視図、ワンタッチキャップの概略斜視図、組立状態の断面図である。
【図２】この発明のエアゾール容器の噴射装置の一実施の形態にかかるアクチュエータの正面図、左側面図、右側面図である。
【図３】この発明のエアゾール容器の噴射装置の一実施の形態にかかるワンタッチキャップの正面図、左側面図、右側面図である。
【図４】この発明のエアゾール容器の噴射装置の一実施の形態にかかる噴射状態で示す平面図、断面図、左側面図、右側面図、底面図である。
【図５】この発明のエアゾール容器の噴射装置の一実施の形態にかかるロック状態で示す正面図、背面図である。
【図６】この発明のエアゾール容器の噴射装置の一実施の形態にかかるガス抜き状態で示す正面図、背面図である。
【符号の説明】
１  エアゾール容器
２  ステム
３  マウンテンカップ
１０  エアゾール容器の噴射装置
２０  アクチュエータ
２１  上面
２２  側壁部
２３  ステム嵌合部
２４  ステム嵌合穴
２５  噴射通路
２６  噴射ノズル部
２７  流路
２８  操作部
２９  操作棒
３０  係止部
３１  凸条
３２  突出片
３３  傾斜面
３４  突起
４０  ワンタッチキャップ
４１  外筒
４２  外周壁
４３  内周壁
４４，４５  前後開口部
４６  係止突起
４７，４８  前後ガイド溝
４９，５０  前後噴射用溝
５１，５２  前後ロック用溝
５３，５４  前後ガス抜き用溝
５５  突起
５６  切欠部
５７  仕切板
５８  円筒部
５９  突片
Ｆ  噴射位置
Ｌ  ロック位置
Ｇ  ガス抜き位置
【図１】
0004321942.tif 000002
【図２】
0004321942.tif 000003
【図３】
0004321942.tif 000004
【図４】
0004321942.tif 000005
【図５】
0004321942.tif 000006
【図６】
0004321942.tif 000007